(57)【要約】［課題］ずれたり外れたりと、フィット性の悪い生理用ナプキンに代わる確りしたものを開発したい。［解決手段］紙製などであって、股を前腰から後腰にかけて被って経血を吸着するようにし、それを穿いた形に着用するにおいて、後ろ被いからの帯状の部分と前被いからの帯状の部分の夫々の端に糊を塗っておいて、左右の横腰で、それら両者を重ねて接着して留めて着用できるようにした、ロインペーパーと呼ぶことにする、経血吸着紙帯。【選択図】図１
2004057764.tif 000002
【特許請求の範囲】
【請求項１】
紙製などであって、股を前腰から後腰にかけて被って経血を吸着するようにし、それを穿いた形に着用するにおいて、後ろ被いからの帯状の部分と前被いからの帯状の部分の夫々の端に糊を塗っておいて、左右の横腰で、それら両者を重ねて接着して留めて着用できるようにした、ロインペーパーと呼ぶことにする、経血吸着紙帯。
【請求項２】
「請求項１」における、後ろ被いからの左右の帯状の部分を長くして、その左右の端に糊を塗っておいて、前腰で、それら端を重ねて接着して、腰に、留め着けうるようにし、前被いの左右の端にも糊を塗っておいて、それら端の当る、後ろ被いからの左右の帯状の部分にも糊を塗っておいて、それら両者を接着して、前被いを後ろ被いに留め着けて、全体を着用できるようにした、同じくロインペーパーと呼ぶことにする、経血吸着紙帯。
【発明の詳細な説明】
【０００１】
［発明の属する技術分野］
女性の生理用品である。
【０００２】
［従来の技術］
従来、女性の生理に対しては紙製のナプキンが用いられてきた。
私は男性であるので用いたことはないが、痔が悪くなって出血してパンツを汚すので、その対策に生理用ナプキンをパンツに着けて用いることを思い付いて、今もずっと使用している。血のみならず便も拭着できて助かっている。
しかしナプキンは幅が狭いのと運動によって移動するので、ややもすると所定の場所から外れてしまう。本来の生理用に於ても同じようなことになるのではないかと思う。
また最初に気付いていたのであるが、このナプキンをパンティを脱いでおいて貼着するには問題はないのであるが、オフイスなどのトイレなどで取り替える際に脱がないでずらして貼着するにはなかなかの困難があろう。
そこで直に局所に貼るようにしたものは出来ないかと考えたが、なかなか良い案が浮ばないできていた。
【０００３】
［発明が解決しようとする課題］
生理用に於ても痔用に於ても使用中にずれるとか離れるとかしてフィット性が悪くならないものを開発製造したい。
【０００４】
［課題を解決するための手段］
しかしなかなかこれはと言う案が浮ばないでいた。
ところで、私は毎日空中線でもって私の思い考えること見ること言うこと感じることなどの全ての生活状態が広く日本中否世界中の人々に直接脳に向けて放送されているようであり、また反対に親類や近所の一部の人間から空中線でもって直に私の脳に言葉でもって私の生活が妨害されるように撃ち込まれている。
昔、広島市の人権委員の人に訊いたのであるが、それは「紐付選挙法」と言うもので、元来的には選挙の票集め票固めのために行なわれていると言う。この空中線に乗って良い者の生活妨害をする者を「紐」と呼び、それらは主に同和対策を受けてきた者達である。
私はこの状態に物心付いた頃から６０年以上もずっと会っており、野村證券の調査部に勤めていた昭和３８年の秋から特に紐の妨害が酷くなり、今日に至っている。
一昨日私が生理用ナプキンのことを考えていると、紐の一人の女が穿けるようにすると好いと付いた。私はそれは良い案だと本発明の切っ掛けにした。乳児用や老人用の紙オムツそのままの形では、便のように量が多くなくて漏れることの少ない経血用には不経済であり、また着用性も悪く、着脱性も好くないので、その上パンツに製造するには機械設備が大変でコストが掛かって高いものになるので、その解決策としてパンツ式ではなくロインクロース的な本発明を発明した。その本発明の構成は「特許請求の範囲」に簡潔に述記してある。
【０００５】
［発明の効果］
本発明はパンツ式ではなく褌式であるので、一枚のシート状で製造でき、着用に於ても穿くのではなく着けるようにしたものであるので、低コストで便利なものになる。
また腰に留めるに紐ではなく、マジックテープ（面ファスナー）に倣って「糊面ファスナー」と呼ぶべきものを発明して構成したので、留め方式も低コスト化できた。使い捨ての本発明にはなかなか好い発明であったとおもう。
この留め方式で紙オムツを作ると、寝かせて行なう紙オムツの着脱が大変楽になると思う。脇から漏れると心配する人もあろうが、厚くすれば対応出来るのではなかろうか。
尚、私が数々の発明をすると、覗かされている紐が兎に角狂態するので、私の発明テーマに役立つ好い案を出すか、生活上困っていることを知らせると、私が特許権を取った場合に２０％の持ち分をやるとからかってきた。
本発明がこのように発明できたのはパンツ式が好いと言う紐の声があったからである。紐に向かって２０％の持ち分を登録してやるから、ファックスでもって名乗り出るように再三言ったが、現時点では名乗り出る者がいない。今後紐か紐達が名乗り出てくれば、いつでも２０％の持ち分を登録してやることをここに明言しておく。
しかし何れにしても、一時も早く空中線を止めてくれることを願っている。上に述べた紐は物心付いた頃から親にけしかけられて紐付きを始め、そのまま大きくなり、仕事や職に就くことは全くと言ってよいほど出来ず、来る日も送る日も私や私の家族や血縁者などの生活妨害に明け暮れて、何時の間にか全くの生活不能な精神障害者と化し、他人の物を盗んだり他人の生活を破壊することに異常な興奮と満足を陶酔するようになってしまっている。以前は文化活動と称する遊びを同和対策してもらい大変な勢力となって集票力を持ち、良い者を暴力団的に脅して地域を支配するかに見えたこともあったが、同和対策が廃止された現在は生活手段に全く窮してしまい、他人の食を脅し盗って食う以外になくなっている。それどころか表に出ないように殺人まで犯して食う以外に相当前からなくなっているようである。これが私に付く紐即ち同和族の正体である。これまではその同和族に顰蹙しても政治家や公務員が同和教育まで行なって彼らを背にして頼りにしてきたため、彼らを正面切って批判することは差別することだと思わされ、彼らの破壊行為の被害を何処にも訴えることが出来ず、職を追われても仕事を盗られてもひたすら耐え続ける以外になかった。しかし今や徐々に良い者が立ち上がりつつある。それは国家財政の破綻によって選挙する者が同和族を買うことが出来なくなったからである。同和族は夫々家族全員が困窮の極みにあり、その余りますます食を窃盗せざるを得なくなってきているからである。そのため水平社的に一人を集中攻撃していればよかった以前とは異なって全ての良い者を敵とせざるを得なくなりつつあるからである。やがて同和族は同和公務員と共に地域を出て行かざるを得まい。彼らは余りにも言語に絶するほどの罪を長年に渡って犯し続け、もう人権思想では覆い隠すことも押し切ることも出来なくなっているからである。殺された者の家族や盗み続けられた家族にことある度に言外に圧迫されるほど同和対策が無いため迫害力がなくなっているからである。これまでは朝鮮統治の手法で全く故なく罪の無い善良な者が精神病とされ病院に押し込められ生活を破壊され、同和思想によって悪く平等化に迫害されてきた。そのため多くの罪のない人が死にまで追いやられ、たとえ生き残れてもその殆どが正常な生活を送れないことになっている。それらの人に代ってこれからは多くの人を同和犯罪に誘い込んで良い者を破壊し続ける犯罪精神病に陶酔してしまっている同和族が真に必要な治療を受けるべき時代となろう。今や一時も早く空中線による同和族を使った紐付選挙を止めて、日本は正常な国柄にならなくてはならない。これなくしてはどんな政治芝居を演じて見せても我国に健全な発展的な未来があると信じて働く国民はいなくなり、国は戦争なくして滅びることになってしまう。
今私としては、少なし小淵内閣や森内閣時代のように、私を放送するとしても、同和族を紐に使って紐付選挙の犠牲にしないでもらいたいのである。同和族に頼った選挙を展開して支配者となろうとする者は早晩国民の信頼を失いその欲望から追放される時代が来るに違いないと私は予言してはばからない。
本発明は画期的なものになろうが、どうしてもナプキンよりは相当高いものになる。経済性を重視する人には使用してもらえないかも知れないが、着用性を買ってもらえる人には広く世界中で愛用してもらえよう。
【図面の簡単な説明】
【図１】本発明を平たく開いて上から見た図である。
【図１】
2004057764.tif 000003